(57)【特許請求の範囲】
【請求項１】
ブロー成形によって扁平な中空状に形成する本体は、表示物を配置する平板部の一端に脚などの下部構造を一体に成形するとともに、他端に対向させることによって連結可能な構造である連結部を形成し、前記本体の連結部に対向させることによって連結可能な構造の連結部を備えた上部構造物を連結し、
前記本体及び前記上部構造物に形成する前記連結部は、いずれも横幅の左右いずれか一方の１/２の範囲であって、厚みの前後いずれか一方の１/２の範囲に係合凸部を、横幅の左右いずれか他方の１/２の範囲であって、厚みの前後いずれか他方の１/２の範囲に、前記係合凸部が嵌まり込んで係合する大きさの係合凹部を形成すること、を特徴とするブロー成形による表示装置。
【請求項２】
上部構造物は、一端に把手を形成し他端に連結部を形成した把手部材であることを特徴とする請求項１記載のブロー成形による表示装置。
【請求項３】
上部構造物は、表示物を配置する平板部の一端に連結部を形成し、前記平板部の他端に把手などの上部構造を一体に形成した延長本体であることを特徴とする請求項１記載のブロー成形による表示装置。
【請求項４】
本体と上部構造物の間に、表示物を配置する平板部の両端にそれぞれ同一構造の連結部を反転させた状態で形成した中間部材を配置し、本体の連結部に中間部材の一端の連結部を、中間部材の他端の連結部に上部構造物の連結部を連結することを特徴とする請求項１ないし３のいずれかに記載のブロー成形による表示装置。
【請求項５】
中間部材に形成する連結部は、横幅の左右いずれか一方の１/２の範囲であって、厚みの前後いずれか一方の１/２の範囲に係合凸部を、横幅の左右いずれか他方の１/２の範囲であって、厚みの前後いずれか他方の１/２の範囲に、前記係合凸部が嵌まり込んで係合する大きさの係合凹部を形成する請求項４に記載のブロー成形による表示装置。
【発明の詳細な説明】
【技術分野】
【０００１】
本発明は、立て看板、平面的な表示板、道路標示具等として利用することができるブロー成形による表示装置に関する発明である。
【背景技術】
【０００２】
地上に自立させる立て看板や平面的な壁面などに固定する看板といった、表示装置は、金属製の枠組みや合成樹脂製板材の組立によって形成し、板材の表面に表示板を固定して使用されるのが一般的である。道路工事用の表示板などの表示装置として、ブロー成形によって主体部分を形成する思想が、例えば特許文献１や特許文献２に開示され公知である。
【０００３】
特許文献１に開示された発明は、ブロー成形によって縦横枠状に成形し、この枠体に表示板を保持させるもので、枠の内周縁に内方に向けて突出形成した板止め部によって表示板を抜き差しできるようにしている。
特許文献２には、ブロー成形によって形成された表示具の中央部に、標識シートを張り付けるスペースを設けるほか、表示板の挿脱ガイド材を設ける思想が開示されている。特許文献２に記載された発明は、表示板を平面部の前面に固定して、立て看板などの表示装置として使用するものではない。
【先行技術文献】
【特許文献】
【０００４】
【特許文献１】特開２００５-３２５５２７号公報
【特許文献２】実用新案登録第３１８９７２０号公報
【発明の概要】
【発明が解決しようとする課題】
【０００５】
特許文献１に開示された発明は、一つの決まった形状、構造の枠体が提供され、一定の大きさの表示板を装着するものであって、表示装置自体の大きさの変更を行うことが出来なかった。大きさや構造の異なる表示装置を製造しようとすれば、全く別の金型を準備して製造する必要があり、コスト的にも割高となる欠点があった。
特許文献２に開示された表示板においても、表示面の大きさや部分的な構造変更を行うことはできない。
上記従来技術の欠点に鑑み、本発明は形状、構造、大きさの変更を容易に行うことができるブロー成形による表示装置を提供することを目的とするものである。また、金型を組み合わせることによって、すなわち入れ子式の金型を利用することによって形状、構造の異なる表示装置、具体的には連結することができる表示装置を、安価に製造することができる構造を提供することを目的とするものである。
【課題を解決するための手段】
【０００６】
上記目的を達成する請求項１記載の発明は、ブロー成形によって扁平な中空状に形成する本体１は、表示物Ａを配置する平板部２の一端に脚３などの下部構造物を一体に成形するとともに、他端には対向させることによって連結可能な構造である連結部４を形成する。前記本体１の連結部４に、対向させることによって連結可能な構造の連結部７を備えた上部構造物を連結し、本体１及び上部構造物に形成する連結部４、７は、いずれも横幅の左右いずれか一方の１/２の範囲であって、厚みの前後いずれか一方の１/２の範囲を連結方向に延長させた係合凸部12を、横幅の左右いずれか他方の１/２の範囲であって、厚みの前後いずれか他方の１/２の範囲に、前記係合凸部12が嵌まり込んで係合する大きさの係合凹部13を形成することによって表示装置を完成させる。
【０００７】
請求項２記載の発明は、上部構造物として、一端に把手５を形成し他端に連結部７を形成した把手部材６を連結することである。
請求項３記載の発明は、上部構造物として、表示物Ａを配置する平板部８の一端に連結部９を形成し、平板部８の他端に把手などの上部構造を一体に形成した延長本体11とすることである。
請求項４記載の発明は、本体１と上部構造物の間に、表示物を配置する平板部15の両端にそれぞれ同一構造の連結部16、17を反転させた状態で形成した中間部材14を配置し、本体１の連結部４に中間部材14の一端の連結部16を、中間部材の他端の連結部17に上部構造物の連結部７や９を連結することである。
【０００８】
請求項５記載の発明は、中間部材14に形成する連結部９、16、17の構造に関する。連結部９、16、17は、いずれも横幅の左右いずれか一方の１/２の範囲であって、厚みの前後いずれか一方の１/２の範囲を連結方向に延長させた係合凸部12を、横幅の左右いずれか他方の１/２の範囲であって、厚みの前後いずれか他方の１/２の範囲に、前記係合凸部12が嵌まり込んで係合する大きさの係合凹部13を形成することである。
【発明の効果】
【０００９】
請求項１記載の発明によれば、ブロー成形によって形成した本体１に、上部構造物を連結することによって表示装置が完成する。本体１と上部構造物の連結部４や７の構造を共通とし、対向させることによって連結可能な構造とすることによって、連結する構造物の組み合わせが自由となり、複数種類の表示装置を容易に形成することができる。すなわち、連結部構造を共通とすることによって任意の上部構造物を取り付けて、表示装置を完成させることができる。また、その連結部の形状、構造物を同一とし必要に応じて反転させて突き合わせることによって連結することができるため、製造、組み立てを容易に行うことができる。すなわち、係合凸部12と係合凹部13を係合させることによって正確な位置決めを行うことができ、その状態で係合凸部12と係合凹部13の重なり部分を、例えばボルト締めで固定することによって確実な組立を行うことができる。
また、例えば二つの本体１、１を対向させて連結するような表示装置とすることもできる。下部構造物は、脚３に限らず、用途、目的に応じて装飾的な構造とすることもできる。
なお、本発明において、下部構造物及び上部構造物は、必ずしも下端の脚、あるいは上端の把手といった構造物に限定されるものではなく、横位置で使用する表示装置の場合、一端に左端構造を成形し、他端に右端構造物を連結するものとして実施することができる。
【００１０】
請求項２記載の発明によれば、上部構造物として本体１に把手部材６を連結することによって、上端に把手５が形成された、一般的な立て看板といった表示装置を容易に製造することができる。本体１に連結する上部構造物として、形状構造の異なる把手部材６、あるいは装飾的な上部構造物を連結して実施することもできる。
【００１１】
請求項３記載の発明によれば、本体の約二倍の大きさの表示装置を容易に製造することができる。
請求項４記載の発明によれば、中間部材14を配置することによって、より長寸法の表示装置を実現することができる。
【００１２】
本発明は、例えば両端に連結部を形成する形状の金型を基本形状とし、その一端に上部構造物又は下部構造物の金型を入れ子状に変更して成形することによって、主体部分に同じ金型を使用して、上部構造物もしくは下部構造物を入れ替えることによって本体１や延長本体11を容易に製造することができる。すなわち、全体として金型を安価に製造することができる。
すなわち、基本的な金型を中間部材14の形状とし、その一端に例えば脚３といった下部構造物、あるいは把手５といった上部構造物の金型を組み合わせることによって本体１、中間部材14、延長本体11のすべてを成形することができる。
【００１３】
請求項５記載の発明によれば、すべての構成部品において、その連結部の形状、構造物を同一とし必要に応じて反転させて突き合わせることによって連結することができるため、製造、組み立てを容易に行うことができる。すなわち、係合凸部12と係合凹部13を係合させることによって正確な位置決めを行うことができ、その状態で係合凸部12と係合凹部13の重なり部分を、例えばボルト締めで固定することによって確実な組立を行うことができる。
【図面の簡単な説明】
【００１４】
【図１】図１は、本発明ブロー成形による表示装置の実施形態を示す斜視図である。
【図２】図２は、図１の本体のみの正面斜視図である。
【図３】図３は、図１の本体のみの背面斜視図である。
【図４】図４は、図１の把手部材のみの正面斜視図である。
【図５】図５は、図１の把手部材のみの背面斜視図である。
【図６】図６は、本体に延長本体を連結した実施形態を示す斜視図である。
【図７】図７は、図６の延長本体のみの正面斜視図である。
【図８】図８は、図６の延長本体のみの背面斜視図である。
【図９】図９は、中間部材の正面斜視図である。
【図１０】図１０は、表示物押圧具の斜視図である。
【図１１】図１１は、連結部のみの平面図である。
【図１２】図１２は、連結部のみの正面図である。
【図１３】図１３は、連結部のみの背面図である。
【図１４】図１４は、補助脚をつけて立て看板としての使用状態を示す側面図である。
【発明を実施するための形態】
【００１５】
以下、本発明に係るブロー成形による表示装置の実施形態を、添付の図面に基づいて説明する。
図１は、本発明の実施形態に係る表示装置の正面斜視図、図２は本体のみの正面斜視図、図３は本体の背面斜視図、図４は把手部材のみの正面斜視図、図５は把手部材のみの背面斜視図である。
【００１６】
図１に示す実施形態の表示装置は、ブロー成形によって中空状の扁平な本体１を形成する。図２に示すように、本体１には薄板に表示を記載した表示物Ａを配置する平板部２の一端に、脚３などの下部構造物を一体に成形するとともに、他端部に対向させることによって連結可能な構造である連結部４を形成している。本体１の連結部４には、この連結部４に対向させることによって連結可能な連結部、すなわち連結部４と同じ形状の連結部７を備えた、例えば図４、図５に示す上部構造物を連結する。図１に示す実施形態では、上部構造物として、図４、図５に示すような一端に把手５を形成し、他端に連結部７を形成した把手部材６を連結している。これにより、平板部２を備えた本体１の一端(下端)に、下部構造物として脚３を一体に形成し、本体１の他端(上端)に上部構造物として把手部材６を連結して、立て看板として使用することができる、把手５付きの表示装置を完成させている。
【００１７】
本体１の正面に位置する平板部２は、上縁を除く三方に一段高い段部18を形成し、その内方に薄板状の表示物Ａを配置するべく、平坦面2ａを形成するとともに、段部18の左右両側縁に平坦面2ａから、表示物を挿入することができる間隔を保って、挿入ガイド19、19を内方に突出させている。これにより、平坦面2aに配置した表示物Ａの両側を安定的に保持することができる。表示物Ａの上下両端は、本体１及び上部構造物である把手部材６に、受け具20を固定することによって表示物の上下両端を支持させている。
【００１８】
本体１の他端に形成する連結部４は、上部構造物に形成する連結部７と同一構造とすることができる。そして、連結部４と連結部７を対向させることによって、本体１と上部構造物である把手部材６を連結する。
対向させることによって連結可能な連結部の具体的構造は、図11〜図13に示すように、横幅Ｗの左右いずれか一方の１/２Ｗの範囲であって、厚みＴの前後いずれか一方の１/２Ｔの範囲に係合凸部12を、横幅Ｗの左右いずれか他方の１/２Ｗの範囲であって、厚みの前後いずれか他方の１/２Ｔの範囲に、前記係合凸部12に係合する大きさの係合凹部13(係合凸部12が係合する平面)を形成することによって実現することができる。
【００１９】
連結部４や７を突き合わせると、係合凸部12が係合凹部13に嵌まり込む。この状態で、係合凸部12と係合凹部13が重なり合っている本体１の面方向に固定ボルトを貫通させて締め付けることによって、本体１と上部構造物が強固に固定された表示装置を完成することができる。
連結部４、７において、確実なボルト固定を行うことができるように、係合凸部12、係合凹部13にボルト孔を設けておき、正確な位置に面方向にボルトを貫通せて締付固定することができるようにするのが好ましい。
図14に示すように、本体１の背面には適宜、支柱21を取り付けることにより、立て看板として自立させることができる。
【００２０】
図６に示す実施形態は、上部構造物として延長本体11を装着することによって背の高い表示装置、立て看板を実現する実施形態を示すものである。図６に示す実施形態の本体１は、前記図１の実施形態の本体１と同一であって、平板部２の一端に下部構造物として脚３を一体に成形するとともに、他端に対向させることによって連結可能な構造である連結部４を形成している。
本体１に連結する上部構造物である延長本体11は、図７、図８に示している。図７、図８に示す延長本体11は、表示物を配置する平板部８の一端(下端)に連結部９を形成し、平板部８の他端(上端)に把手10などの上部構造物を一体に形成している。
【００２１】
図７、図８に示す連結部９は、先に説明した本体１の連結部４や、把手部材６の連結部７と同じ構造とし、他端に把手10を一体に形成する。
延長本体11は、前記本体１の脚３を把手10に置き換え、上下反転させたものに相当する。すなわち、本体１の脚３の金型に置き換えて把手５の金型を配置することによって、延長本体11を成形することができる。
延長本体11の平板部８上端には、側縁の段部18を上縁に連続させて段部18”を形成している。もっとも、本体１の下縁にも側縁の段部18と連続させて段部18’を形成し、上縁の段部18”、下縁の段部18’の中心位置に受け具20を取り付けるための座22を形成している。薄板状の表示物Ａを係止するための受け具20は、図10に示すように座22に嵌め込んでボルトで固定するための固定部20aと、表示物Ａの上方に突出し、表示物Ａを支持するガイド部20bを備えている。
【００２２】
図９は、平板部15の両端に連結部16、17を形成した中間部材14の実施形態を示すものである。中間部材14は、本体１と上部構造物、例えば延長本体11あるいは把手部材６との間に配置し、本体１の連結部４に中間部材14の一端の連結部16を、中間部材14の他端の連結部17を連結することによって、より大きな表示装置を実現することができる。
【００２３】
図９に示す中間部材14は、本発明に係る表示装置の基本構造であって、この中間部材14の連結部16が形成されている一端に、例えば金型の一部を入れ子式に変更して下部構造物もしくは上部構造物を成形することによって、前記本体１や延長本体11を形成することができる。
また、本発明は、金型の一端にのみ連結部16もしくは連結部17を形成し、他端部に上部構造物もしくは下部構造物の金型を入れ子式に適宜変更することによって、本体１及び延長本体11を成形することができる。
【００２４】
本体１や延長本体11の正面の左右側縁には、一段高い突出面である段部18を形成している。この突出面である段部18部分がブロー成形品として最も厚みのある部分であり、大きな強度を発揮する部分である。段部18部分が、最も厚みのある部分であることは先に述べた通りである。したがって、段部18の背面部分も、背面においてもっとも突出した部分としている。
図示実施形態においては、正面の左右の段部18、18に、図面上円形の凹所23、23を形成している。一方、図３や図８に示すように、背面には前記表面の凹所23、23に対応する部分に、凹所23に係合する円形の凸部24、24を設けている。このように凸部24と凹所23を設けることによって、表示装置を積み重ねた場合に、凸部24と凹所23が係合するようにしている。このことは、例えば表示装置の輸送時や保管時に荷崩れを生じることなく、安定的に積み重ねることができる実益がある。
【００２５】
その他、本体１や延長本体11の左右両側縁部分に貫通孔25を形成している。この貫通孔25に紐を通して縛ることによって、風によって看板が飛ばされないように固定し、あるいは保管時に荷崩れなどを生じないように、固定することができる。本発明の本体１や延長本体11は、ブロー成形で中空としている。従って、全体として軽量で取り扱いに便利である。一方で、強度を向上させたため、図示実施形態においては、背面において長手方向に連続する円弧状の凹面26を形成することによって強度を向上させている。
【００２６】
本発明の表示装置を、立て看板として使用する場合、図14に示すように平板部２の背面に支柱21を装着することによって自立することができるようにするのが好ましい。支柱21を装着することができるように、平板部の背面には、支柱21が入り込む溝27、27を形成し、支柱21の上端部を軸支するとともに、図14に示すような一定の広がりで係止されるようにして、安定的に自立することができるようにしている。支柱21は、回動させることによって、前記溝27に収容されるようにしておく。
【符号の説明】
【００２７】
１…本体、  ２…平板部、  2a…平坦面、  ３…脚、  ４…連結部、  ５…把手、  ６…把手部材、  ７…連結部、  ８…平板部、  ９…連結部、  10…把手、  11…延長本体、  12…係合凸部、  13…係合凹部、  14…中間部材、  15…平板部、  16、17…連結部、  18…段部、  19…挿入ガイド、  20…受け具、  20a…固定部、  20b…ガイド部、  21…支柱、  22…座、  23…凹所、  24…凸部、  25…貫通孔、  26…凹面、  27…溝、  Ａ…表示物。
【図１】
0006374858.tif 000002
【図２】
0006374858.tif 000003
【図３】
0006374858.tif 000004
【図４】
0006374858.tif 000005
【図５】
0006374858.tif 000006
【図６】
0006374858.tif 000007
【図７】
0006374858.tif 000008
【図８】
0006374858.tif 000009
【図９】
0006374858.tif 000010
【図１０】
0006374858.tif 000011
【図１１】
0006374858.tif 000012
【図１２】
0006374858.tif 000013
【図１３】
0006374858.tif 000014
【図１４】
0006374858.tif 000015